(57)【要約】【課題】  部屋内の空間を仕切り、自由にシャワー室等を構築することができ、また、ライフスタイルに合わせて可変できる衛生室を提供する。【解決手段】  内部に給水用の配管が通り、シャワー器具が付設されたパーティーション３を、天井部材４により部屋の壁２に連結させて自立させ、このパーティーション３と部屋の壁２間にシャワー室１を形成させる。【選択図】  図１
2005146704.tif 000002
【特許請求の範囲】
【請求項１】
シャワー器具が付設されたパーティーションを、連結部材により部屋の壁に連結させて自立させ、該パーティーションと前記部屋の壁間にシャワー室等を形成させたことを特徴とする衛生室。
【請求項２】
内部に給水用の配管が通り、シャワー器具が付設されたパーティーションを、天井部材により部屋の壁に連結させて自立させ、該パーティーションと前記部屋の壁間にシャワー室等を形成させたことを特徴とする請求項１に記載の衛生室。
【請求項３】
前記パーティーションの表面を覆蓋する複数枚の表面化粧部材をユニット化し、手洗器等の衛生設備を付設した表面化粧部材を、前記パーティーションの表面に取り付けできるように構成したことを特徴とする請求項１または請求項２に記載の衛生室。
【請求項４】
前記パーティーションを２以上列設して、前記シャワー室等に隣室を併設させたことを特徴とする請求項１または請求項２または請求項３に記載の衛生室。
【発明の詳細な説明】
【技術分野】
【０００１】
本発明は、パーティーションを用いて設置される衛生室に関するものである。
【背景技術】
【０００２】
従来、特許文献１に開示されているようなサニタリールームが存在する。
【特許文献１】特開２００１−８１９８５号公報
【発明の開示】
【発明が解決しようとする課題】
【０００３】
従来のようなサニタリールームは、部屋内に独立して設置されたものであり、部屋内の空間を繋げたり仕切ったりするようなものではなく、また、ライフスタイルに合わせて可変できるものではなかった。
【課題を解決するための手段】
【０００４】
本発明は上記従来の問題点に鑑み案出したものであって、簡易に部屋内の空間を仕切ってシャワー室等を設置することができ、また、ライフスタイルに合わせて可変できる衛生室を提供せんとするものであり、請求項１は、シャワー器具が付設されたパーティーションを、連結部材により部屋の壁に連結させて自立させ、該パーティーションと前記部屋の壁間にシャワー室等を形成させたことである。
【０００５】
また、請求項２は、内部に給水用等の配管が通り、シャワー器具が付設されたパーティーションを、天井部材により部屋の壁に連結させて自立させ、該パーティーションと前記部屋の壁間にシャワー室等を形成させたことである。
【０００６】
また、請求項３は、前記パーティーションの表面を覆蓋する複数枚の表面化粧部材をユニット化し、手洗器等の衛生設備を付設した表面化粧部材を、前記パーティーションの表面に取り付けできるように構成したことである。
【０００７】
また、請求項４は、前記パーティーションを２以上列設して、前記シャワー室等に隣室を併設させたことである。
【発明の効果】
【０００８】
本発明は、シャワー器具が付設されたパーティーションを、連結部材により部屋の壁に連結させて自立させ、パーティーションと部屋の壁間にシャワー室等を形成させたことにより、パーティーションと連結部材を用いて、部屋内の空間を仕切り、部屋内に容易にシャワー室等を設置することができ、また自由に可変できるものとなる。
【０００９】
また、内部に給水用等の配管が通り、シャワー器具が付設されたパーティーションを、天井部材により部屋の壁に連結させて自立させ、パーティーションと部屋の壁間にシャワー室等を形成させたことにより、パーティーションと天井部材を用いて、部屋内の空間を仕切り、部屋内に容易にシャワー室等を設置することができ、また自由に可変できるものとなる。
【００１０】
また、パーティーションの表面を覆蓋する複数枚の表面化粧部材をユニット化し、手洗器等の衛生設備を付設した表面化粧部材を、パーティーションの表面に取り付けできるように構成したことにより、機能やライフスタイルに合わせて表面化粧部材を自由に選択して手洗器等を設けることができ、様々な仕様の衛生室を構築できるものとなる。
【００１１】
また、パーティーションを２以上列設して、シャワー室に隣室を併設させたことにより、パーティーションを増やすことで、部屋内の空間を仕切ったり広げたりすることができ、ライフスタイルに合わせて良好に部屋内を可変できるものとなる。
【実施例】
【００１２】
以下、本発明の実施例を図面に基づいて説明する。
図１は、部屋内に構築されたシャワー室の外観斜視図であり、また図２は、シャワー室内から見た斜視構成図である。更に、図３は、シャワー室の側面構成図である。
【００１３】
シャワー室１は、パーティーション３と、天井パネル４と、防水パン５と、左右のドア６ａ，６ｂで構成されている。
パーティーション３を天井パネル４を介して部屋壁２に連結させて、パーティーション３を部屋壁２と平行状に自立させることができ、天井工事を必要とせず、予め用意された天井パネル４を用いて、部屋壁２とパーティーション３間に、シャワー室１を形成させることができ、工事が容易で、部屋の任意の位置にシャワー室１を形成させることができるものである。
【００１４】
シャワー室１の底側には、防水パン５が敷設されており、この防水パン５は、部屋の床Ｆより僅かに低い位置に敷設することができるものである。また、左右のドア６ａ，６ｂは容易に取り付けできるものである。
なお、部屋壁２に沿って支柱Ｐを立設させておき、この支柱Ｐの上端に天井パネル４を連結するように構成しても良い。なお、支柱Ｐを用いることなく、直接天井パネル４を部屋壁２に固定して、シャワー室１を構築することもできるものである。
【００１５】
パーティーション３は、表及び裏側からそれぞれ複数枚のユニット化された表面化粧部材７，７，７，７が取り付けられて、パネル状に形成されており、内部には図示しない給水，排水用の配管を予め隠蔽状に設けておくことができるものである。
図４に示すように、このパーティーション３の外面側の一部の表面化粧部材７には、予め凹部７ａが形成され、この凹部７ａの下部に手洗器８が設けられ、凹部７ａの上部には吐水口９が設けられたものとなっている。
【００１６】
このような手洗器８を備えた表面化粧部材７は、予めオプションでユニット化されて用意されており、その他、洗面器等のオプション部材が予め付設された表面化粧部材７が用意されており、好みに応じて、このような手洗器８を備えた表面化粧部材７をパーティーション３に取り付けできるものである。
なお、パーティーション３には、複数段に棚１０，１０を取り付けておくことができ、更に、タオルを掛けるタオルリング１１を取り付けておくことができる。
また、鏡１２を取り付けておき、この鏡１２の上部からステー１３を延ばして、ステー１３の上端に照明ランプ１４を取り付けておくことができる。
なお、棚１０は、例えば図９の断面拡大図で示すように、基部をパーティーション３内に嵌め込んで着脱できるように構成されており、この棚１０は横方向に長い棚であっても良い。
【００１７】
また、図５に示すように、パーティーション３の裏側のシャワー室１側には、予めシャワー１５が取り付けられている。
また、シャワー１５をオン・オフするための回転式のスイッチ１６ａが設けられており、その下方には、温度調節用の回転式のスイッチ１６ｂが設けられている。
更にその下方には、換気扇をオン・オフするためのスイッチ１６ｃが、更にその下方には、照明をオン・オフするためのスイッチ１６ｄが設けられている。
【００１８】
また、天井パネル４は、図６の斜視図で、また図７の断面図で、また図８の底面図で示すような構造となっており、天井パネル４の上面には、換気扇，混合水栓，制御部等を入れることのできるボックス部１７が設けられ、天井パネル４の下面側には、化粧パーツ１８が嵌め込まれて、この化粧パーツ１８の外周には、リング状に照明１９が配置されている。本例では、照明１９は、所定ピッチ間隔で複数設けられたＬＥＤ１９ａ，１９ａ，１９ａで構成されている。
なお、天井パネル４は、ボックス部１７の存在しないものであっても良い。
【００１９】
なお、図１０は、部屋内に設置したシャワー室の別例の外観斜視図である。
本例のシャワー室１は、パーティーション３と、防水パン５と、左右のドア６ａ，６ｂで構成されている。
本例では、パーティーション３をドア枠６Ａを介して部屋壁２に連結させ、パーティーション３を部屋壁２と平行状に自立させて、部屋壁２とパーティーション３間に、シャワー室１を形成させることができ、工事が容易で、部屋の任意の位置にシャワー室１を形成させることができるものである。
【００２０】
なお、図１１は、部屋内にシャワー室を設置した状態の平面概略構成図であり、部屋壁２に天井パネル４等の連結部材を介してパーティーション３を自立させ、左右側にドア６ａ，６ｂを開閉可能に取り付けて、両開き式のシャワー室１を形成させたものである。
図１１のようなシャワー室１では、右麻痺，左麻痺の双方の身体障害者も、左右いずれか側からでも良好にシャワー室１内に入室して使用することができ、しかも車椅子に乗ったままシャワー室１内に入ることもでき、介護者用のスペースも十分に確保することができるものである。
【００２１】
また、図１２のように、部屋のコーナー部にシャワー室１を形成させることもでき、この場合は、左ドア６ａのみを取り付けて、この左ドア６ａ側からのみ出入りできるように構成することができる。
【００２２】
更には、図１３に示すように、パーティーション３を２枚列設させて、シャワー室１の隣に脱衣室２０を形成させることもでき、脱衣室２０の出入り口には、扉２１またはカーテンを設けることができる。
このように、パーティーション３の数を増やすことで、目的に合わせて部屋内の空間を仕切って、複数の衛生室を部屋内に形成させることができるものとなる。
【００２３】
また、ライフスタイルに合わせて、前述した如く、パーティーション３の表面化粧部材７を、衛生設備を備えた表面化粧部材７に適宜交換等して、様々な機能を付加または追加することができ、ライフスタイルに合わせてオプション変更が可能である。
更に、リフォーム時には、天井パネル４等の連結部材を取り外して容易にパーティーション３を移動等させることができ、シャワー室１の撤去等も極めて容易に行うことができるものであり、部屋内をライフスタイルに合わせて容易に変更させることができるものである。
【図面の簡単な説明】
【００２４】
【図１】部屋内に設置したシャワー室の外観斜視図である。
【図２】シャワー室の内側から見た斜視構成図である。
【図３】シャワー室の側面構成図である。
【図４】シャワー室を構成するパーティーションの正面図である。
【図５】パーティーションの背面図である。
【図６】天井パネルの斜視構成図である。
【図７】天井パネルの縦断面構成図である。
【図８】天井パネルの底面図である。
【図９】棚の取付構造を例示する縦断面拡大構成図である。
【図１０】部屋内に設置したシャワー室の別例の外観斜視図である。
【図１１】部屋の中央部に設置したシャワー室の平面概略構成図である。
【図１２】部屋のコーナー部に設置したシャワー室の概略平面構成図である。
【図１３】シャワー室の隣に脱衣室を形成した場合の平面概略構成図である。
【符号の説明】
【００２５】
１  シャワー室
２  部屋壁
３  パーティーション
４  天井パネル
５  防水パン
６Ａ  ドア枠
６ａ  左ドア
６ｂ  右ドア
７  表面化粧部材
７ａ  凹部
８  手洗器
９  吐水口
１０  棚
１１  タオルリング
１２  鏡
１３  ステー
１４  照明ランプ
１５  シャワー
１６ａ，１６ｂ，１６ｃ，１６ｄ  スイッチ
１７  ボックス部
１８  化粧パーツ
１９  照明
１９ａ  ＬＥＤ
２０  脱衣室
２１  扉
【図１】
2005146704.tif 000003
【図２】
2005146704.tif 000004
【図３】
2005146704.tif 000005
【図４】
2005146704.tif 000006
【図５】
2005146704.tif 000007
【図６】
2005146704.tif 000008
【図７】
2005146704.tif 000009
【図８】
2005146704.tif 000010
【図９】
2005146704.tif 000011
【図１０】
2005146704.tif 000012
【図１１】
2005146704.tif 000013
【図１２】
2005146704.tif 000014
【図１３】
2005146704.tif 000015